【手続補正書】
【提出日】平成26年5月7日(2014.5.7)
【手続補正１】
【補正対象書類名】特許請求の範囲
【補正対象項目名】全文
【補正方法】変更
【補正の内容】
【特許請求の範囲】
【請求項１】
硬化させられた熱硬化性ポリマー結合剤を生成するための反応物を含有する水性結合剤溶液を調製するステップであって、前記反応物が還元糖および第一級ポリアミンＨ２Ｎ−Ｑ−ＮＨ２を含んでおり、式中Ｑはアルキル、シクロアルキル、ヘテロアルキル、またはシクロヘテロアルキルであり、前記アルキル、シクロアルキル、ヘテロアルキル、シクロヘテロアルキルはそれぞれ、任意選択で置換されているステップと；
前記結合剤溶液を、物体集合体上に配置するステップと；
前記結合剤溶液を乾燥させて、未硬化結合剤を形成するステップと、
前記未硬化結合剤を熱硬化させて、硬化させられた熱硬化性ポリマー結合剤で結合された物体集合体を形成するステップと
を含む、硬化させられた熱硬化性ポリマー結合剤で結合された物体集合体を作製する方法。
【請求項２】
前記硬化させられた熱硬化性ポリマー結合剤が、ホルムアルデヒドフリーである、請求項１に記載の方法。
【請求項３】
ホルムアルデヒドもフェノールも、試薬として使用されない、請求項１または２に記載の方法。
【請求項４】
前記物体集合体が、ガラス繊維、鉱物繊維、アラミド繊維、セラミック繊維、金属繊維、炭素繊維、ポリイミド繊維、ポリエステル繊維、レーヨン繊維、セルロース繊維、木屑、おが屑、木材パルプ、砕木、黄麻、亜麻、麻、藁、微粒子、石炭微粒子および砂微粒子からなる群から選択される物体を含む、前記請求項のいずれか一項に記載の方法。
【請求項５】
前記物体集合体が、７０重量％から９９重量％の範囲で存在するガラス繊維を含む、前記請求項のいずれか一項に記載の方法。
【請求項６】
前記還元糖が、デキストロース、キシロース、フルクトース、ジヒドロキシアセトン、およびこれらの混合物からなる群から選択される、前記請求項のいずれか一項に記載の方法。
【請求項７】
前記第一級ポリアミンが、ジアミン、トリアミン、テトラミン、およびペンタミンからなる群から選択される、前記請求項のいずれか一項に記載の方法。
【請求項８】
Ｑが、Ｃ２〜Ｃ８からなる群から選択されるアルキルであり、特にＣ６である、前記請求項のいずれか一項に記載の方法。
【請求項９】
前記第一級ポリアミンが、１，６−ジアミノヘキサン、１，５−ジアミノ−２−メチルペンタン、ジエチレントリアミン、１−ピペラジンエタンアミン、ビス（ヘキサメチレン）トリアミン、トリエチレンテトラミン、およびテトラエチレンペンタミンからなる群から選択される、前記請求項のいずれか一項に記載の方法。
【請求項１０】
前記還元糖と前記第一級ポリアミンとの重量比が１：１から３０：１の範囲内、より好ましくは２：１から１０：１の範囲内、特に３：１から６：１の範囲内にある、前記請求項のいずれか一項に記載の方法。
【請求項１１】
前記結合剤溶液がアルカリ性のｐＨを有する、前記請求項のいずれか一項に記載の方法。
【請求項１２】
前記結合剤溶液を調製するステップが、前記結合剤溶液のｐＨを８から１２の範囲内に調節するステップを含む、前記請求項のいずれか一項に記載の方法。
【請求項１３】
前記硬化した結合剤は実質的に水不溶性である、前記請求項のいずれか一項に記載の方法。
【請求項１４】
前記ポリマー結合剤が、４２０ｎｍの光を強力に吸収する、前記請求項のいずれか一項に記載の方法。
【請求項１５】
前記結合剤溶液が本質的に酸を含まない、前記請求項のいずれか一項に記載の方法。
【請求項１６】
前記物体集合体および前記硬化させられた熱硬化性ポリマー結合剤が、ケイ素含有化合物、γ−アミノプロピルトリエトキシシラン、γ−グリシドキシプロピルトリメトキシシラン、アミノエチルアミノプロピルトリメトキシシラン、アミノ官能性オリゴマーシラン、アミノ官能性オリゴマーシロキサンおよびこれらの混合物からなる群から選択される材料をさらに含む、前記請求項のいずれか一項に記載の方法。
【請求項１７】
前記物体集合体および前記硬化させられた熱硬化性ポリマー結合剤が、制塵油、リン酸一アンモニウム、メタケイ酸ナトリウム五水和物、メラミン、シュウ酸スズ（ＩＩ）、およびメチル水素シリコーン流体エマルジョンからなる群から選択される腐食防止剤をさらに含む、前記請求項のいずれか一項に記載の方法。
【請求項１８】
前記結合剤が、非水性加湿剤をさらに含む、前記請求項のいずれか一項に記載の方法。
【請求項１９】
硬化させられた熱硬化性ポリマー結合剤により結合された物体集合体を含む組成物であって、前記硬化させられた熱硬化性ポリマー結合剤は、前記ポリマー結合剤を生成するための反応物を含有する水性結合剤溶液を乾燥させて硬化させた反応生成物を含み、前記反応物が還元糖および第一級ポリアミンＨ２Ｎ−Ｑ−ＮＨ２を含んでおり、式中Ｑはアルキル、シクロアルキル、ヘテロアルキル、またはシクロヘテロアルキルであり、前記アルキル、シクロアルキル、ヘテロアルキル、シクロヘテロアルキルはそれぞれ、任意選択で置換されている、組成物。
【請求項２０】
前記組成物が請求項１から１８のいずれか１項に記載の方法により得られる、請求項１９に記載の組成物。
【請求項２１】
前記組成物が複合木質ボードである、請求項１９または２０に記載の組成物。
【請求項２２】
前記組成物がワックスを含む複合木質ボードである、請求項１９から２１のいずれか一項に記載の組成物。
【請求項２３】
前記組成物が以下の特徴：
少なくとも１８００Ｎ／ｍｍ２の弾性率（ＭＯＥ）
少なくとも１８Ｎ／ｍｍ２の曲げ強度（ＭＯＲ）
少なくとも０．２８Ｎ／ｍｍ２の内部結合強度（ＩＢ）
２０℃の水中で２４時間後に厚さの変化を測定した場合、約１２％以下で膨潤する
２０℃の水中で２４時間後に、４０％以下の吸水率
８％から１８％の乾燥重量の前記結合剤
の１つ以上を有する複合木質ボードである、請求項１９から２２のいずれか一項に記載の組成物。
【請求項２４】
前記組成物は、木質パーティクルボード、配向性ストランドボード、および中密度ファイバーボードから選択される複合木質ボードである、請求項１９から２３のいずれか一項に記載の組成物。
【請求項２５】
前記物体集合体が鉱物繊維絶縁製品である、請求項１９または２０に記載の組成物。
【手続補正２】
【補正対象書類名】明細書
【補正対象項目名】０００７
【補正方法】変更
【補正の内容】
【０００７】
本発明は、例えば、以下を提供する：
（項目１）
炭水化物反応物とポリアミンとのポリマー生成物を含む結合剤。
（項目２）
前記炭水化物反応物が多糖である、項目１に記載の結合剤。
（項目３）
前記炭水化物反応物が単糖または二糖である、項目１に記載の結合剤。
（項目４）
前記炭水化物反応物が、そのアルドース形またはケトース形である単糖である、項目１に記載の結合剤。
（項目５）
前記炭水化物反応物が、デキストロース、キシロース、フルクトース、ジヒドロキシアセトン、およびこれらの混合物からなる群から選択される、項目１に記載の結合剤。
（項目６）
前記ポリアミンが、ジアミン、トリアミン、テトラアミン、およびペンタミンからなる群から選択される第一級ポリアミンである、項目１から５のいずれか一項に記載の結合剤。
（項目７）
前記ポリアミンがＨ２Ｎ−Ｑ−ＮＨ２であり、式中Ｑは、アルキル、シクロアルキル、ヘテロアルキル、またはシクロヘテロアルキルであり、前記アルキル、シクロアルキル、ヘテロアルキル、シクロヘテロアルキルはそれぞれ任意選択で置換されている、項目６に記載の結合剤。
（項目８）
Ｑが、Ｃ２〜Ｃ２４からなる群から選択されるアルキルである、項目７に記載の結合剤。
（項目９）
Ｑが、Ｃ２〜Ｃ８からなる群から選択されるアルキルである、項目７に記載の結合剤。
（項目１０）
Ｑが、Ｃ３〜Ｃ７からなる群から選択されるアルキルである、項目７に記載の結合剤。
（項目１１）
ＱがＣ６アルキルである、項目７に記載の結合剤。
（項目１２）
Ｑが、シクロヘキシル、シクロペンチル、およびシクロブチルからなる群から選択される、項目７に記載の結合剤。
（項目１３）
Ｑがベンジルである、項目７に記載の結合剤。
（項目１４）
前記ポリアミンが、１，６−ジアミノヘキサンおよび１，５−ジアミノ−２−メチルペンタンからなる群から選択されるジアミンである、項目６に記載の結合剤。
（項目１５）
前記ジアミンが１，６−ジアミノヘキサンである、項目１４に記載の結合剤。
（項目１６）
前記トリアミンが、ジエチレントリアミン、１−ピペラジンエタンアミン、およびビス（ヘキサメチレン）トリアミンからなる群から選択される、項目６に記載の結合剤。
（項目１７）
前記テトラアミンがトリエチレンテトラミンである、項目６に記載の結合剤。
（項目１８）
前記ペンタミンがテトラエチレンペンタミンである、項目６に記載の結合剤。
（項目１９）
前記第一級ポリアミンがポリエーテル−ポリアミンである、項目６に記載の結合剤。
（項目２０）
前記ポリエーテル−ポリアミンがジアミンまたはトリアミンである、項目１９に記載の結合剤。
（項目２１）
前記炭水化物反応物と前記第一級ポリアミンとの重量比が約１：１から約３０：１の範囲内にある、項目１から２０のいずれか一項に記載の結合剤。
（項目２２）
前記炭水化物反応物と前記第一級ポリアミンとの重量比が約２：１から約１０：１の範囲内にある、項目１から２０のいずれか一項に記載の結合剤。
（項目２３）
前記ポリマー生成物の水性抽出物が約５から約９の範囲のｐＨを有する、項目１から２２のいずれか一項に記載の結合剤。
（項目２４）
前記ポリマー生成物の水性抽出物が本質的に無色である、項目１から２３のいずれか一項に記載の結合剤。
（項目２５）
前記ポリマー生成物の水性抽出物が、ベネディクト試薬を還元することが可能である、項目１から２４のいずれか一項に記載の結合剤。
（項目２６）
前記ポリマー生成物が、フェノールフリーおよびホルムアルデヒドフリーである、項目１から２５のいずれか一項に記載の結合剤。
（項目２７）
前記炭水化物反応物および前記第一級ポリアミンが不揮発性である、項目１から２６のいずれか一項に記載の結合剤。
（項目２８）
前記ポリマー生成物が、ベネディクト試薬を還元する、項目１から２７のいずれか一項に記載の結合剤。
（項目２９）
前記ポリマー生成物が、４２０ｎｍの光を強力に吸収する、項目１から２８のいずれか一項に記載の結合剤。
（項目３０）
ポリマー結合剤を生成するための反応物および溶媒を含有する溶液を調製するステップであって、前記反応物が炭水化物反応物およびポリアミンを含んでいるステップと；
前記溶液を、物体集合体上に配置するステップと；
前記溶媒を揮発させて、未硬化生成物を形成するステップと、
前記炭水化物反応物および前記ポリアミンを重合させて前記ポリマー結合剤を形成させる条件に、前記未硬化生成物を供するステップと
を含む、ポリマー結合剤で結合された物体集合体を作製する方法。
（項目３１）
前記物体集合体が、鉱物繊維、アラミド繊維、セラミック繊維、金属繊維、炭素繊維、ポリイミド繊維、ポリエステル繊維、レーヨン繊維、およびセルロース繊維からなる群から選択される繊維を含む、項目３０に記載の方法。
（項目３２）
前記物体集合体が、石炭または砂粒子である、項目３０に記載の方法。
（項目３３）
前記ガラス繊維が、約８０重量％から約９９重量％の範囲で存在する、項目３１に記載の方法。
（項目３４）
前記物体集合体がセルロース繊維を含む、項目３１に記載の方法。
（項目３５）
前記セルロース繊維が、木屑、おが屑、木材パルプ、砕木、黄麻、亜麻、麻、および藁からなる群から選択される基材中に存在する、項目３４に記載の方法。
（項目３６）
前記未硬化生成物を、貯蔵に適した包装材料で包装するステップをさらに含む、項目３０に記載の方法。
（項目３７）
前記溶液を調製するステップが、ある量の前記炭水化物反応物とある量の前記第一級ポリアミンとを、重量比が約２：１から約１０：１の範囲内にあるように添加するステップを含む、項目３０から３６のいずれか一項に記載の方法。
（項目３８）
前記溶液を調製するステップが、前記炭水化物反応物および前記ポリアミンを水溶液に添加するステップを含む、項目３０から３７のいずれか一項に記載の方法。
（項目３９）
前記溶液を調製するステップが、前記溶液のｐＨを約８から約１２の範囲内に調節するステップを含む、項目３８に記載の方法。
（項目４０）
物体集合体および結合剤を含む組成物であって、前記結合剤は、炭水化物反応物とポリアミンとの間の反応のポリマー生成物を含み、前記ポリマー生成物は実質的に水不溶性である、組成物。
（項目４１）
前記物体集合体が、鉱物繊維、アラミド繊維、セラミック繊維、金属繊維、炭素繊維、ポリイミド繊維、ポリエステル繊維、レーヨン繊維、およびセルロース繊維からなる群から選択される繊維を含む、項目４０に記載の組成物。
（項目４２）
前記物体集合体がガラス繊維を含む、項目４１に記載の組成物。
（項目４３）
前記物体集合体がセルロース繊維を含む、項目４１に記載の組成物。
（項目４４）
前記セルロース繊維が、木屑、おが屑、木材パルプ、および砕木からなる群から選択されるセルロース基材中に存在する、項目４３に記載の組成物。
（項目４５）
前記炭水化物反応物が、デキストロース、キシロース、フルクトース、ジヒドロキシアセトン、およびこれらの混合物からなる群から選択される、項目４０に記載の組成物。
（項目４６）
前記ポリアミンが、ジアミン、トリアミン、テトラミン、およびペンタミンからなる群から選択される、項目４０から４５のいずれか一項に記載の組成物。
（項目４７）
前記ポリアミンがＨ２Ｎ−Ｑ−ＮＨ２であり、式中Ｑは、アルキル、シクロアルキル、ヘテロアルキル、またはシクロヘテロアルキルであり、前記アルキル、シクロアルキル、ヘテロアルキル、シクロヘテロアルキルはそれぞれ任意選択で置換されている、項目４６に記載の組成物。
（項目４８）
ケイ素含有化合物をさらに含む、項目４０から４７のいずれか一項に記載の組成物。
（項目４９）
前記ケイ素含有化合物が、γ−アミノプロピルトリエトキシシラン、γ−グリシドキシプロピルトリメトキシシラン、アミノエチルアミノプロピルトリメトキシシラン、アミノ官能性オリゴマーシラン、およびこれらの混合物からなる群から選択される、項目４８に記載の組成物。
（項目５０）
前記ケイ素含有化合物が、γ−アミノプロピルトリエトキシシランである、項目４９に記載の組成物。
（項目５１）
制塵油、リン酸一アンモニウム、メタケイ酸ナトリウム五水和物、メラミン、シュウ酸スズ（ＩＩ）、およびメチル水素シリコーン流体エマルジョンからなる群から選択される腐食防止剤をさらに含む、項目４０から５０のいずれか一項に記載の組成物。
（要旨）
本開示によれば、炭水化物をベースにした結合剤が記述される。結合剤組成物は、様々な用途で有用となる性質を有し、特に結合剤は、繊維などの緩く組み合わされた物体を結合するのに使用され得る。